【手続補正書】
【提出日】平成27年6月4日(2015.6.4)
【手続補正１】
【補正対象書類名】特許請求の範囲
【補正対象項目名】全文
【補正方法】変更
【補正の内容】
【特許請求の範囲】
【請求項１】
軸に沿って延びるとともに前記軸の周りに配置されたコイルを備え、
前記コイルは、１つまたは複数の部分を備え、
各部分は、巻き角を規定し、
前記の１つまたは複数の部分の少なくとも１つは、前記軸に垂直な直線を基準として実質的に非ゼロの巻き角を規定し、これにより、印加される磁界内の前記コイルの投影面積は、前記コイルが前記軸の周りを回転するにつれて変化する、磁気センサ・アセンブリ。
【請求項２】
前記コイルは、少なくとも２つの部分を備え、
前記の少なくとも２つの部分のうちの第１の部分は、前記直線を基準として実質的に非ゼロの第１の巻き角を規定し、
前記少なくとも２つの部分のうちの第２の部分は、前記第１の巻き角とは異なる第２の巻き角を規定する、請求項１に記載の磁気センサ・アセンブリ。
【請求項３】
前記第１の巻き角および前記第２の巻き角の和は、ほぼ９０度で、前記第１の部分および前記第２の部分が実質的に垂直である、請求項２に記載の磁気センサ・アセンブリ。
【請求項４】
前記第１の部分は、前記第２の部分と電気的に結合している、請求項２又は３に記載の磁気センサ・アセンブリ。
【請求項５】
前記軸に沿って延び、コア外面を有するコアを、さらに備え、
前記コイルは、前記コアの外面に配置されている、請求項１〜４のいずれか一項に記載の磁気センサ・アセンブリ。
【請求項６】
前記コイルのループの外形は、
円、
楕円、および
凸多角形
からなる群より選択される形状を実質的に備える、請求項１〜５のいずれか一項に記載の磁気センサ・アセンブリ。
【請求項７】
前記の１つまたは複数の部分のうちの少なくとも１つは、導電ワイヤを備える、請求項１〜６のいずれか一項に記載の磁気センサ・アセンブリ。
【請求項８】
前記の１つまたは複数の部分のうちの少なくとも１つは、フレキシブル・プリント回路基板上のトレースを備える、請求項１〜７のいずれか一項に記載の磁気センサ・アセンブリ。
【請求項９】
前記コイルは、前記軸が貫いて延びるある体積を径方向に取り巻く、請求項１〜８のいずれか一項に記載の磁気センサ・アセンブリ。
【請求項１０】
軸に沿って延び、外面を有するコアと、
前記軸に沿って延びるとともに前記軸の周りに配置されたコイルと、を備え、
前記コイルは、前記コアの外面上に配置されるとともに第１の巻き角を規定する第１の部分と、前記第１の部分と電気的に結合されるとともに前記第１の巻き角と異なる第２の巻き角を規定する第２の部分と、を備え、
前記第１の巻き角および前記第２の巻き角のうちの少なくとも１つは、前記軸に垂直な直線を基準として実質的に非ゼロであり、
これにより、前記コイルは、前記軸の周りの前記コイルのロールを少なくとも示す印加される磁界に応じた信号を発するように構成される、医療デバイス・センサ・アセンブリ。
【請求項１１】
前記第１の巻き角および前記第２の巻き角の和は、ほぼ９０度で、前記第１の部分および前記第２の部分が実質的に垂直である、請求項１０に記載の医療デバイス・センサ・アセンブリ。
【請求項１２】
前記第１の巻き角および前記第２の巻き角のうちの１つは、実質的にゼロである、請求項１０又は１１に記載の医療デバイス・センサ・アセンブリ。
【請求項１３】
前記第２の部分の少なくとも一部が、前記第１の部分の少なくとも一部の径方向外側にある、請求項１０〜１２のいずれか一項に記載の医療デバイス・センサ・アセンブリ。
【請求項１４】
前記第２の部分の少なくとも一部が、前記第１の部分の少なくとも一部に対して軸方向に隣接している、請求項１０〜１３のいずれか一項に記載の医療デバイス・センサ・アセンブリ。
【請求項１５】
軸に沿って延びるとともに前記軸の周りに配置されたコイルを備え、
前記コイルは、１つまたは複数の部分を備え、
各部分は、巻き角を規定し、
前記の１つまたは複数の部分の少なくとも１つは、前記軸に垂直な直線を基準として少なくとも約２度の巻き角を規定し、これにより、印加される磁界内の前記コイルの投影面積は、前記コイルが前記軸の周りを回転するにつれて変化する、磁気センサ・アセンブリ。
【請求項１６】
前記コイルは、少なくとも２つの部分を備え、
前記少なくとも２つの部分のうちの第１の部分は、前記直線を基準として少なくとも約２度の第１の巻き角を有し、
前記少なくとも２つの部分のうちの第２の部分は、前記第１の巻き角とは異なる第２の巻き角を有する、請求項１５に記載の磁気センサ・アセンブリ。
【請求項１７】
前記第１の巻き角および前記第２の巻き角の和は、ほぼ９０度で、前記第１の部分および前記第２の部分が実質的に垂直である、請求項１６に記載の磁気センサ・アセンブリ。
【請求項１８】
前記第１の部分は、前記第２の部分と電気的に結合している、請求項１７に記載の磁気センサ・アセンブリ。
【請求項１９】
前記軸に沿って延び、コア外面を有するコアを、さらに備え、
前記コイルは、前記コアの外面に配置されている、請求項１５〜１８のいずれか一項に記載の磁気センサ・アセンブリ。
【請求項２０】
前記コイルの径方向の断面は、
円、
楕円、および
凸多角形
からなる群より選択される形状を実質的に備える、請求項１５〜１９のいずれか一項に記載の磁気センサ・アセンブリ。
【手続補正２】
【補正対象書類名】明細書
【補正対象項目名】００７８
【補正方法】変更
【補正の内容】
【００７８】
本発明の複数の実施形態をある程度の特殊性とともに前述したが、当業者は、本発明の趣旨または範囲を逸脱することなく、開示された実施形態に多くの変更を加えることができるだろう。すべての方向に関する言及（たとえば、プラス、マイナス、上部、下部、上向き、下向き、左、右、左向き、右向き、最上部、底部、より上方に、より下方に、垂直の、水平の、時計回り、反時計回り）は、本発明についての読者の理解を助けるために、識別の目的で使用されているにすぎず、特に本発明の位置、向きまたは使用に関して制限を与えるものではない。接合に関する言及（たとえば、取り付けられる、結合される、接続される等）は、広義に解釈されるべきであり、要素の接続と要素間の相対的な動きとの間の中間メンバを含む場合がある。このように、接合に関する言及は、２つの要素が直接的に接続され、かつ互いに固定した関係にあることを必ずしも意味するものではない。上記の説明に含まれ、または添付図面に示されるすべての内容は、限定的なものとしてではなく、単に例示的なものとして解釈されるべきであることが意図されている。添付の特許請求の範囲で定義されている本発明の趣旨から逸脱することなく、細部または構造に変更を加えることができる。
以下の項目は、国際出願時の特許請求の範囲に記載の要素である。
（項目１）
軸に沿って延びるとともに前記軸の周りに配置されたコイルを備え、
前記コイルは、１つまたは複数の部分を備え、
各部分は、巻き角を規定し、
前記の１つまたは複数の部分の少なくとも１つは、前記軸に垂直な直線を基準として実質的に非ゼロの巻き角を規定し、これにより、印加される磁界内の前記コイルの投影面積は、前記コイルが前記軸の周りを回転するにつれて変化する、磁気センサ・アセンブリ。
（項目２）
前記コイルは、少なくとも２つの部分を備え、
前記の少なくとも２つの部分のうちの第１の部分は、前記直線を基準として実質的に非ゼロの第１の巻き角を規定し、
前記少なくとも２つの部分のうちの第２の部分は、前記第１の巻き角とは異なる第２の巻き角を規定する、項目１に記載の磁気センサ・アセンブリ。
（項目３）
前記第１の巻き角および前記第２の巻き角の和は、ほぼ９０度で、前記第１の部分および前記第２の部分が実質的に垂直である、項目２に記載の磁気センサ・アセンブリ。
（項目４）
前記第１の部分は、前記第２の部分と電気的に結合している、項目２に記載の磁気センサ・アセンブリ。
（項目５）
前記軸に沿って延び、コア外面を有するコアを、さらに備え、
前記コイルは、前記コアの外面に配置されている、項目１に記載の磁気センサ・アセンブリ。
（項目６）
前記コイルのループの外形は、
円、
楕円、および
凸多角形
からなる群より選択される形状を実質的に備える、項目１に記載の磁気センサ・アセンブリ。
（項目７）
前記の１つまたは複数の部分のうちの少なくとも１つは、導電ワイヤを備える、項目１に記載の磁気センサ・アセンブリ。
（項目８）
前記の１つまたは複数の部分のうちの少なくとも１つは、フレキシブル・プリント回路基板上のトレースを備える、項目１に記載の磁気センサ・アセンブリ。
（項目９）
前記コイルは、前記軸が貫いて延びるある体積を径方向に取り巻く、項目１に記載の磁気センサ・アセンブリ。
（項目１０）
軸に沿って延び、外面を有するコアと、
前記軸に沿って延びるとともに前記軸の周りに配置されたコイルと、を備え、
前記コイルは、前記コアの外面上に配置されるとともに第１の巻き角を規定する第１の部分と、前記第１の部分と電気的に結合されるとともに前記第１の巻き角と異なる第２の巻き角を規定する第２の部分と、を備え、
前記第１の巻き角および前記第２の巻き角のうちの少なくとも１つは、前記軸に垂直な直線を基準として実質的に非ゼロであり、
これにより、前記コイルは、前記軸の周りの前記コイルのロールを少なくとも示す印加される磁界に応じた信号を発するように構成される、医療デバイス・センサ・アセンブリ。
（項目１１）
前記第１の巻き角および前記第２の巻き角の和は、ほぼ９０度で、前記第１の部分および前記第２の部分が実質的に垂直である、項目１０に記載の医療デバイス・センサ・アセンブリ。
（項目１２）
前記第１の巻き角および前記第２の巻き角のうちの１つは、実質的にゼロである、項目１０に記載の医療デバイス・センサ・アセンブリ。
（項目１３）
前記第２の部分の少なくとも一部が、前記第１の部分の少なくとも一部の径方向外側にある、項目１０に記載の医療デバイス・センサ・アセンブリ。
（項目１４）
前記第２の部分の少なくとも一部が、前記第１の部分の少なくとも一部に対して軸方向に隣接している、項目１０に記載の医療デバイス・センサ・アセンブリ。
（項目１５）
軸に沿って延びるとともに前記軸の周りに配置されたコイルを備え、
前記コイルは、１つまたは複数の部分を備え、
各部分は、巻き角を規定し、
前記の１つまたは複数の部分の少なくとも１つは、前記軸に垂直な直線を基準として少なくとも約２度の巻き角を規定し、これにより、印加される磁界内の前記コイルの投影面積は、前記コイルが前記軸の周りを回転するにつれて変化する、磁気センサ・アセンブリ。
（項目１６）
前記コイルは、少なくとも２つの部分を備え、
前記少なくとも２つの部分のうちの第１の部分は、前記直線を基準として少なくとも約２度の第１の巻き角を有し、
前記少なくとも２つの部分のうちの第２の部分は、前記第１の巻き角とは異なる第２の巻き角を有する、項目１５に記載の磁気センサ・アセンブリ。
（項目１７）
前記第１の巻き角および前記第２の巻き角の和は、ほぼ９０度で、前記第１の部分および前記第２の部分が実質的に垂直である、項目１６に記載の磁気センサ・アセンブリ。
（項目１８）
前記第１の部分は、前記第２の部分と電気的に結合している、項目１７に記載の磁気センサ・アセンブリ。
（項目１９）
前記軸に沿って延び、コア外面を有するコアを、さらに備え、
前記コイルは、前記コアの外面に配置されている、項目１５に記載の磁気センサ・アセンブリ。
（項目２０）
前記コイルの径方向の断面は、
円、
楕円、および
凸多角形
からなる群より選択される形状を実質的に備える、項目１５に記載の磁気センサ・アセンブリ。